(57)【要約】【課題】層間変位に追従するすべりを確実に行わせることができ、しかも、カーテンウォールとファスナーとの現場での結合作業を容易にすることができるカーテンウォールの取付け用ファスナー等を提供する。【解決手段】建物躯体１とカーテンウォール２とをつなぐファスナー３が、躯体側に取り付けられるファスナー部品４と、カーテンウォール側に取り付けられるファスナー部品５とに分割され、これらファスナー部品４，５の一方又は両方にルーズ孔６が設けられ、該ルーズ孔６に通されたボルト８によりこれらファスナー部品４，５同士が層間変位追従のためのすべりを生じる締付け力にて締結されている。そして、カーテンウォール側のファスナー部品５の取付け部５ｂが大きな締付け力でカーテンウォール２側にボルト９で接合されている。【選択図】      図１
2009019475.tif 000002
【特許請求の範囲】
【請求項１】
建物躯体とカーテンウォールとをつなぐファスナーであって、
躯体側に取り付けられる躯体側ファスナー部品と、カーテンウォール側に取り付けられるカーテンウォール側ファスナー部品とに分割され、
これらファスナー部品の一方又は両方に、層間変位追従用のルーズ孔が設けられ、該ルーズ孔に通されたボルトによりこれらファスナー部品同士が層間変位追従のためのすべりを生じる締付け力にて締結され、
カーテンウォール側ファスナー部品に、該部品をカーテンウォール側にボルトで取り付けるボルト取付け部が備えられていることを特徴とするカーテンウォール取付け用ファスナー。
【請求項２】
請求項１に記載のカーテンウォール取付け用ファスナーを用い、該ファスナーのカーテンウォール側ファスナー部品を、ファスナー部品同士が層間変位に追従してすべりを生じる前記締付け力よりも大きな締付け力でカーテンウォール側にボルト接合することを特徴とするカーテンウォールの取付け方法。
【請求項３】
建物躯体とカーテンウォールとをつなぐファスナーが、躯体側に取り付けられる躯体側ファスナー部品と、カーテンウォール側に取り付けられるカーテンウォール側ファスナー部品とに分割され、
これらファスナー部品の一方又は両方に、層間変位追従用のルーズ孔が設けられ、該ルーズ孔に通されたボルトによりこれらファスナー部品同士が層間変位追従のためのすべりを生じる締付け力にて締結されており、
カーテンウォール側ファスナー部品に、該部品をカーテンウォール側にボルトで取り付けるボルト取付け部が備えられ、該カーテンウォール側ファスナー部品が、ファスナー部品同士が層間変位に追従してすべりを生じる前記締付け力よりも大きな締付け力でカーテンウォール側にボルト接合されていることを特徴とするカーテンウォールの取付け構造。
【請求項４】
建物躯体とカーテンウォールとをつなぐファスナーであって、
躯体側に取り付けられる躯体側ファスナー部品と、カーテンウォール側に取り付けられるカーテンウォール側ファスナー部品とに分割され、
これらファスナー部品の一方又は両方に、層間変位追従用のルーズ孔が設けられ、該ルーズ孔に通されたボルトによりこれらファスナー部品同士が層間変位追従のためのすべりを生じる締付け力にて締結されていることを特徴とするカーテンウォール取付け用ファスナー。
【請求項５】
建物躯体とカーテンウォールとをつなぐファスナーのカーテンウォール側の取付け部に、層間変位追従用のルーズ孔が設けられ、該ルーズ孔に通されたボルトでファスナーとカーテンウォールとが層間変位に追従してすべりを生じるように締め合わされたカーテンウォールの取付け構造であって、
ファスナーのカーテンウォール側の取付け部のルーズ孔のサイズよりも大きい座金本体部と、該座金本体部からルーズ孔内に突出し、カーテンウォール側のボルト通孔よりもサイズの大きい突出部とを備えたＴ形座金が、その突出部をルーズ孔内に突出させ、座金本体部をボルト頭部とファスナーとの間に位置させるように配置されると共に、座金本体部とファスナーとの間に弾性体が介設され、
前記ボルトは、座金の突出部がカーテンウォール側に当接する位置まで締め付けられ、前記弾性体が弾性変形をして復元力を保有し、該復元力によってファスナーとカーテンウォールとが締め合わされて層間変位に追従してすべりを生じるようになされていることを特徴とするカーテンウォールの取付け構造。
【請求項６】
第１部材に、第１部材と第２部材の相対変位を許容するルーズ孔が設けられ、該ルーズ孔に通されたボルトで第１部材と第２部材とがすべりを生じるように締め合わされた部材の連結構造であって、
前記第１部材のルーズ孔のサイズよりも大きい座金本体部と、該座金本体部からルーズ孔内に突出し、第２部材のボルト通孔よりもサイズの大きい突出部とを備えたＴ形座金が、その突出部をルーズ孔内に突出させ、座金本体部をボルト頭部と第１部材との間に位置させるように配置されると共に、座金本体部と第１部材との間に弾性体が介設され、
前記ボルトは、座金の突出部が第２部材の側に当接する位置まで締め付けられ、前記弾性体が弾性変形をして復元力を保有し、該復元力によって第１部材と第２部材とが締め合わされてすべりを生じるようになされていることを特徴とする部材の連結構造。
【発明の詳細な説明】
【技術分野】
【０００１】
本発明は、カーテンウォールの取付け用ファスナー、同取付けの方法及び構造、並びに、部材の連結構造に関する。
【背景技術】
【０００２】
カーテンウォールの取付けは、従来より、図４（イ）（ロ）に示すように、ファスナー５１を建物躯体５２にボルト５３などで固定すると共に、該ファスナー５１にカーテンウォール５４のパネルフレーム５４ａをボルト５５で取り付けるというようにして行われている。そして、図４（ハ）に示すように、ファスナー５１には、ルーズ孔５６が設けられ、該ルーズ孔５６に通されたボルト５５でファスナー５１とカーテンウォール５４とが締結結合され、ファスナー５１とカーテンウォール５４とが層間変位に追従してすべりを生じることができるようになされている。
【特許文献１】特開平１１−３２４１９１号公報
【発明の開示】
【発明が解決しようとする課題】
【０００３】
しかしながら、上記のような取付け構造では、カーテンウォール５４とファスナー５１とのボルト５５による結合を建築現場で行う必要があり、カーテンウォール５４とファスナー５１とを層間変位に追従してすべりを生じることができるように所定の締付けトルク値で締め付けなければならず、そのため、カーテンウォール５４とファスナー５１との現場でのボルト結合作業が非常に厄介であるという問題がある。
【０００４】
本発明は、上記のような問題点に鑑み、層間変位に追従するすべりを確実に行わせることができ、しかも、カーテンウォールとファスナーとの現場での結合作業を容易にすることができるカーテンウォールの取付け用ファスナー、同取付けの方法及び構造等を提供することを課題とする。
【課題を解決するための手段】
【０００５】
上記の課題は、建物躯体とカーテンウォールとをつなぐファスナーであって、
躯体側に取り付けられる躯体側ファスナー部品と、カーテンウォール側に取り付けられるカーテンウォール側ファスナー部品とに分割され、
これらファスナー部品の一方又は両方に、層間変位追従用のルーズ孔が設けられ、該ルーズ孔に通されたボルトによりこれらファスナー部品同士が層間変位追従のためのすべりを生じる締付け力にて締結され、
カーテンウォール側ファスナー部品に、該部品をカーテンウォール側にボルトで取り付けるボルト取付け部が備えられていることを特徴とするカーテンウォール取付け用ファスナーによって解決される（第１発明）。
【０００６】
また、第１発明のファスナーを用い、該ファスナーのカーテンウォール側ファスナー部品を、ファスナー部品同士が層間変位に追従してすべりを生じる前記締付け力よりも大きな締付け力でカーテンウォール側にボルト接合することを特徴とするカーテンウォールの取付け方法によって解決される（第２発明）。
【０００７】
また、建物躯体とカーテンウォールとをつなぐファスナーが、躯体側に取り付けられる躯体側ファスナー部品と、カーテンウォール側に取り付けられるカーテンウォール側ファスナー部品とに分割され、
これらファスナー部品の一方又は両方に、層間変位追従用のルーズ孔が設けられ、該ルーズ孔に通されたボルトによりこれらファスナー部品同士が層間変位追従のためのすべりを生じる締付け力にて締結されており、
カーテンウォール側ファスナー部品に、該部品をカーテンウォール側にボルトで取り付けるボルト取付け部が備えられ、該カーテンウォール側ファスナー部品が、ファスナー部品同士が層間変位に追従してすべりを生じる前記締付け力よりも大きな締付け力でカーテンウォール側にボルト接合されていることを特徴とするカーテンウォールの取付け構造によって解決される（第３発明）。
【０００８】
上記の第１〜第３発明によれば、分割されたファスナー部品の一方又は両方に、層間変位追従用のルーズ孔が設けられ、該ルーズ孔に通されたボルトによりこれらファスナー部品同士が層間変位追従のためのすべりを生じる締付け力にて締結されているので、層間変形に追従するすべりを、ファスナー部品同士のボルト締結部において確実に行わせることができる。
【０００９】
しかも、このように、層間変形に追従するすべりがファスナー部品同士のボルト締結部において行われるようになされていることで、カーテンウォール側ファスナー部品とカーテンウォール側とのボルトの締付け力はすべりのための前記締付け力よりも大きくてよく、そのため、現場作業となるファスナーとカーテンウォールとのボルト締結作業を電動工具等を用いて容易に行っていくことができる。
【００１０】
また、上記の課題は、建物躯体とカーテンウォールとをつなぐファスナーであって、
躯体側に取り付けられる躯体側ファスナー部品と、カーテンウォール側に取り付けられるカーテンウォール側ファスナー部品とに分割され、
これらファスナー部品の一方又は両方に、層間変位追従用のルーズ孔が設けられ、該ルーズ孔に通されたボルトによりこれらファスナー部品同士が層間変位追従のためのすべりを生じる締付け力にて締結されていることを特徴とするカーテンウォール取付け用ファスナーによって解決される。（第４発明）。
【００１１】
このファスナーでは、分割されたファスナー部品の一方又は両方に、層間変位追従用のルーズ孔が設けられ、該ルーズ孔に通されたボルトによりこれらファスナー部品同士が層間変位追従のためのすべりを生じる締付け力にて締結されているので、層間変形に追従するすべりを、ファスナー部品同士のボルト締結部において確実に行わせることができる。
【００１２】
しかも、このように、層間変形に追従するすべりがファスナー部品同士のボルト締結部において行われるようになされていることで、カーテンウォール側ファスナー部品とカーテンウォールとは、そのようなすべりを考慮しない結合手段で結合することができて、現場作業となるファスナーとカーテンウォールとの結合作業を容易にすることができる。
【００１３】
また、上記の課題は、建物躯体とカーテンウォールとをつなぐファスナーのカーテンウォール側の取付け部に、層間変位追従用のルーズ孔が設けられ、該ルーズ孔に通されたボルトでファスナーとカーテンウォールとが層間変位に追従してすべりを生じるように締め合わされたカーテンウォールの取付け構造であって、
ファスナーのカーテンウォール側の取付け部のルーズ孔のサイズよりも大きい座金本体部と、該座金本体部からルーズ孔内に突出し、カーテンウォール側のボルト通孔よりもサイズの大きい突出部とを備えたＴ形座金が、その突出部をルーズ孔内に突出させ、座金本体部をボルト頭部とファスナーとの間に位置させるように配置されると共に、座金本体部とファスナーとの間に弾性体が介設され、
前記ボルトは、座金の突出部がカーテンウォール側に当接する位置まで締め付けられ、前記弾性体が弾性変形をして復元力を保有し、該復元力によってファスナーとカーテンウォールとが締め合わされて層間変位に追従してすべりを生じるようになされていることを特徴とするカーテンウォールの取付け構造によって解決される（第５発明）。
【００１４】
この取付け構造では、ファスナーとカーテンウォールとを連結するに際してＴ形座金と弾性体とをセットし、そして、ボルトを締め付けていくと、その過程で、Ｔ形座金の突出部がカーテンウォール側に当接してそれ以上の締付けが阻止されると共に、弾性体の復元力によってファスナーとカーテンウォールとが締め合わされ、それによって、ファスナーとカーテンウォールとに層間変位に追従するすべりを確実に行わせることができる。
【００１５】
しかも、Ｔ形座金の突出部がカーテンウォール側に当接し、それ以上の締付けが阻止されることにより、締付けの完了を知ることができ、ボルト締結作業を容易に行っていくことができる。
【００１６】
また、本願は、第１部材に、第１部材と第２部材の相対変位を許容するルーズ孔が設けられ、該ルーズ孔に通されたボルトで第１部材と第２部材とがすべりを生じるように締め合わされた部材の連結構造であって、
前記第１部材のルーズ孔のサイズよりも大きい座金本体部と、該座金本体部からルーズ孔内に突出し、第２部材のボルト通孔よりもサイズの大きい突出部とを備えたＴ形座金が、その突出部をルーズ孔内に突出させ、座金本体部をボルト頭部と第１部材との間に位置させるように配置されると共に、座金本体部と第１部材との間に弾性体が介設され、
前記ボルトは、座金の突出部が第２部材の側に当接する位置まで締め付けられ、前記弾性体が弾性変形をして復元力を保有し、該復元力によって第１部材と第２部材とが締め合わされてすべりを生じるようになされていることを特徴とする部材の連結構造を含む（第６発明）。
【００１７】
この連結構造では、第１部材と第２部材とを連結するに際してＴ形座金と弾性体とをセットし、そして、ボルトを締め付けていくと、その過程で、座金の突出部が第２部材側に当接してそれ以上の締付けが阻止されると共に、弾性体の復元力によって第１部材と第２部材とが締め合わされ、それによって、第１部材と第２部材とにすべりを確実に行わせることができる。
【００１８】
しかも、座金の突出部が第２部材側に当接し、それ以上の締付けが阻止されることにより、締付けの完了を知ることができて、ボルト締結作業を容易に行っていくことができる。
【発明の効果】
【００１９】
本発明は、以上のとおりのものであるから、層間変位に追従するすべりを確実に行わせることができ、しかも、カーテンウォールとファスナーとの現場での結合作業を容易にすることができる。
【発明を実施するための最良の形態】
【００２０】
次に、本発明の実施最良形態を図面に基づいて説明する。
【００２１】
図１は、第１〜第４発明の実施形態を示すもので、図１（イ）（ロ）において、１はＨ形鋼梁からなる建物躯体、２はカーテンウォール、３はファスナーである。
【００２２】
ファスナー３は、図１（ロ）に示すように、躯体１側に取り付けられる躯体側ファスナー部品４と、カーテンウォール２側に取り付けられるカーテンウォール側ファスナー部品５とに分割されている。
【００２３】
そして、各ファスナー部品４，５には垂直板部４ａ，５ａが設けられ、一方のファスナー部品５の垂直板部５ａには層間変位追従用のルーズ孔６が設けられると共に、もう一方のファスナー部品４の垂直板部４ａには通常のボルト通孔７が設けられ、これら孔６，７に通されたボルト８によって、ファスナー部品４，５同士が層間変位追従のためのすべりを生じる締付け力にて締結された構造になっている。２１は座金である。
【００２４】
また、カーテンウォール側ファスナー部品５には、該部品５をカーテンウォール２側にボルト９で取り付けるボルト取付け部５ｂが備えられると共に、躯体側ファスナー部品４にも、該部品４を躯体１側にボルト１０で取り付けるボルト取付け部４ｂが備えられ、各ボルト取付け部５ｂ，４ｂには、図示しないが、ルーズ孔でない通常のボルト通孔が設けられている。
【００２５】
カーテンウォール２の取付けは、上記のファスナー３を用い、ボルト１０で躯体１に取り付けたファスナー３とカーテンウォール２とを、建築現場において、ボルト９で接合する。該ボルト９の締付け力は、層間変形に追従するすべりがファスナー部品４，５同士のボルト締結部８において行われるようになされていることで、ファスナー３とカーテンウォール２側とのボルト９の締付け力は、すべりのための締付け力よりも大きくてよく、そのため、現場作業となるファスナー３とカーテンウォール２とのボルト結合作業を電動工具等を用いて容易に行っていくことができる。
【００２６】
そして、こうして形成された取付け構造によれば、分割された躯体側ファスナー部品４に層間変位追従用のルーズ孔６が設けられ、該ルーズ孔６に通されたボルト８によりファスナー部品４，５同士が層間変位追従のためのすべりを生じる締付け力にて締結されているので、ファスナー部品４，５同士のボルト締結部８において、層間変形に追従するすべりを確実に行わせることができる。
【００２７】
なお、上記の実施形態では、ファスナー３の躯体側ファスナー部品４と躯体１との結合を、ボルト１０で行った場合を示しているが、溶接などその他の各種の結合手段で行われていてもよい。
【００２８】
また、上記の実施形態におけるファスナー３では、一方のファスナー部品５にルーズ孔６が設けられると共に、もう一方のファスナー部品４に通常のボルト通孔７が設けられ、これら孔６，７に通されたボルト８によって、ファスナー部品４，５同士が層間変位追従のためのすべりを生じる締付け力にて締結された構造となっているが、
前記もう一方のファスナー部品４にルーズ孔が設けられると共に、前記一方のファスナー部品５に通常のボルト通孔が設けられてボルト８で締結された構造になっていてもよいし、
各ファスナー部品４，５に設けたルーズ孔にボルト８を通して締結した構造になっていてもよい。
【００２９】
また、上記の実施形態では、カーテンウォール側ファスナー部品５とカーテンウォール２とをボルト９で結合する構造となっている場合を示したが、ボルト以外の各種の結合手段で結合されていてもよく、その場合であっても、層間変形に追従するすべりは、ファスナー部品４，５同士のボルト締結部８において確実に行われ、カーテンウォール側ファスナー部品５とカーテンウォール２との結合手段の選択の幅を広くすることができる。
【００３０】
図２及び図３は、第５，第６発明の実施形態を示すもので、図２（イ）において、１はＨ形鋼梁からなる建物躯体、２はカーテンウォール、３はファスナーであり、図２（ロ）において、２ａは、カーテンウォール２のパネルフレームである。
【００３１】
ファスナー３は、非分割構造のものからなっていて、図２（ロ）、図３に示すように、そのカーテンウォール側の垂直な取付け板部３ａには、層間変位追従用のルーズ孔６が設けられると共に、カーテンウォール２のパネルフレーム２ａには、通常のボルト通孔１１が設けられ、ルーズ孔６とボルト通孔１１とに通されたボルト１２と、Ｔ形座金１３と、弾性体１４とで、ファスナー３とカーテンウォール２とが層間変位に追従してすべりを生じるように締め合わされた構造となっている。
【００３２】
即ち、Ｔ形座金１３は、ファスナー３のカーテンウォール側の取付け部のルーズ孔６のサイズよりも大きい座金本体部１５と、該座金本体部１５からルーズ孔６内に突出し、カーテンウォール２のパネルフレーム２ａのボルト通孔１１よりもサイズの大きい突出部１６とを備えたものからなっていて、該Ｔ形座金１３は、その突出部１６をルーズ孔６内に突出させ、座金本体部１５をボルト頭部１２ａとファスナー３との間に位置させるように配置され、座金本体部１５とファスナー３との間に弾性体１４が介設されている。
【００３３】
弾性体１４は、Ｔ形座金１３の突出部１６を通す中心孔を備えた、例えばゴム状弾性体などからなっていて、ボルト１２の締込みを行う前の状態では、Ｔ形座金１３の突出部１６とパネルフレーム２ａとを離間状態に保持するスペーサーとして働き、ボルト１２の締込みを行っていくと、圧縮の弾性変形をしていくことで復元力を保有していき、その締込みの過程で、Ｔ形座金１３の突出部１６の先端をカーテンウォール２のパネルフレーム２ａのボルト通孔１１の周縁部に当接させることができるようになされており、その当接状態における復元力によってファスナー３とカーテンウォール２のパネルフレーム２ａとが締め合わされ、層間変位に追従してすべりを生じる締付け状態を得ることができるようになされている。なお、弾性体１４の、ルーズ孔６側の面部には、硬質のプレート１７が備えられ、ファスナー３とカーテンウォール２のパネルフレーム２ａとの締め合わせによってゴム状弾性体１４の肉がルーズ孔６内に入り込んでしまうのを防ぐようになされている。
【００３４】
この取付け構造では、このように、ファスナー３とカーテンウォール２とを連結するに際して、Ｔ形座金１３と弾性体１４とをセットし、そして、ボルト１２を締め付けていくと、その過程で、Ｔ形座金１３の突出部がカーテンウォール２のパネルフレーム２ａに当接してそれ以上の締付けが阻止されると共に、弾性体１４の復元力によってファスナー３とカーテンウォール２との締め合わされ、それによって、図２（ハ）（ニ）に示すように、ファスナー３とカーテンウォール２とに層間変位に追従するすべりを確実に行わせることができる。
【００３５】
しかも、Ｔ形座金１３の突出部１６がカーテンウォール２のパネルフレーム２ａに当接すると、それ以上の締付けが阻止されることで、締付け作業において締付けの完了を知ることができ、ボルト締結作業を容易に行っていくことができる。
【００３６】
なお、上記の実施形態では、弾性体１４としてゴム状弾性体を用いた場合を示したが、ゴム状弾性体に代えて、例えば皿バネなどの各種の弾性体が用いられてよい。また、ボルト頭部１２ａは、ボルトに螺合されたナットなどからなっていてもよい。
【００３７】
また、上記の実施形態では、ファスナー３とカーテンウォール２との締結部に適用した場合を示したが、第６発明は、ファスナー３とカーテンウォール２との締結部のほか、摩擦ダンパーなどの各種の第１部材と第２部材との締結部に適用することができるものである。
【図面の簡単な説明】
【００３８】
【図１】第１実施形態を示すもので、図（イ）はカーテンウォールの取付け状態を示す断面側面図、図（ロ）は躯体とカーテンウォールとファスナーとを分離状態にして示す断面側面図、図（ハ）は図（ロ）のＩ−Ｉ線断面図である。
【図２】第２実施形態を示すもので、図（イ）はカーテンウォールの取付け状態を示す断面側面図、図（ロ）は図（イ）のＩＩ−ＩＩ線断面図、図（ハ）及び図（ニ）はそれぞれ層間変位によるすべりの動作を示す断面図である。
【図３】図（イ）は同取付け構造部分の分解断面図、図（ロ）及び図（ハ）は取付け方法の一例を順次に示す断面図である。
【図４】従来例を示すもので、図（イ）はカーテンウォールの取付け状態を示す断面側面図、図（ロ）は躯体とカーテンウォールとファスナーとを分離状態にして示す断面側面図、図（ハ）は図（イ）のＩＩＩ−ＩＩＩ線断面図である。
【符号の説明】
【００３９】
１…建物躯体
２…カーテンウォール
３…ファスナー
４…躯体側ファスナー部品
５…カーテンウォール側ファスナー部品
５ｂ…ボルト取付け部
６…ルーズ孔
７…ボルト通孔
８…ボルト
９…ボルト
１１…ボルト通孔
１２…ボルト
１２ａ…ボルト頭部
１３…Ｔ形座金
１４…弾性体
１５…座金本体部
１６…突出部
【図１】
2009019475.tif 000003
【図２】
2009019475.tif 000004
【図３】
2009019475.tif 000005
【図４】
2009019475.tif 000006